(57)【要約】　【課題】　角質部の削り落とし性能に優れているのはもとより、削り落とされる角質部下の皮膚細胞を活性化して皮膚組織の復元を促進することができる硬質たわしを提供する。【解決手段】　硬質のたわし本体４を形成する硬質発泡性樹脂の原液に、備長炭等の炭素を有する粉粒状のマイナスイオン発生物質２を分散配合し、該原液を注入し発泡させて使用時に表面に常にマイナスイオン発生物質２が露出する所定形状の硬質たわし１が成形されている。【選択図】　　　図１
2004105744.tif 000002
【特許請求の範囲】
【請求項１】
　硬質のたわし本体を形成する硬質発泡性樹脂の原液に、備長炭等の炭素を有する粉粒状のマイナスイオン発生物質を分散配合し、該原液を注入し発泡させて所定形状に成形していることを特徴とする硬質たわし。
【請求項２】
　前記備長炭等の炭素を有するマイナスイオン発生物質が、数μｍ〜数１００μｍの粉粒状に加工されている請求項１に記載の硬質たわし。
【発明の詳細な説明】
【技術分野】
【０００１】
　本発明は、主として入浴時に人体皮膚の角質部を削り落とす際に用いられる硬質たわしに関するものである。
【背景技術】
【０００２】
　人体皮膚の角質部の削り落としには、溶岩が急激に冷却されることで多数の気泡が形成されている天然の軽石を用いるのが一般的であるが、天然の軽石は、気泡の大きさや数が不揃いで品質、性能にばらつきが多く、硬さや目の粗さ（気泡の大きさ）によっては擦り使用時に肌を傷つけやすいという難点がある。
【０００３】
　このような天然の軽石に代わるものとして、従来、硬質ポリウレタン等の発泡性樹脂から形成された硬質たわしが提案されている。また、硬質ポリウレタン等の発泡性樹脂をベースとし、その樹脂原液中にシルクパウダーやセリシンパウダー等の保湿成分物質を配合して該原液を所定形状に注入発泡させた改良品も従来より提案されている。
【発明の開示】
【発明が解決しようとする課題】
【０００４】
　上記のような硬質ポリウレタン等の発泡性樹脂をベースにして人工的に生産される従来の硬質たわしは、天然の軽石に比べて品質、性能の均一化が図れるとともに、人体皮膚の角質部を削り落とす際に肌を傷つけることが少ない。特に、シルクパウダーやセリシンパウダー等の保湿成分物質を分散配合してなる改良品の場合は、保水状態で肌に優しく接触するために、肌部分の傷付き防止に一層優れた性能を発揮するとともに、角質部が削り落とされた肌に潤いを与えることができるという利点を有している。
【０００５】
　しかしながら、発泡性樹脂をベースにした従来の硬質たわしでは、角質部の削り落とし性能及び使用直後の潤い感付与性能を発揮するのみで、角質部の削り落としにより露出する皮膚細胞の活性化による皮膚組織の復元については全く考えられてなく、角質部の削り落としに用いられる硬質たわしとしては、この点での改善が強く要望されている。
【０００６】
　本発明は上記実情に鑑みてなされたもので、角質部の削り落とし性能に優れているのはもとより、削り落とされる角質部下の皮膚細胞を活性化して皮膚組織の復元を促進することができる硬質たわしを提供することを目的としている。
【課題を解決するための手段】
【０００７】
　上記目的を達成するために、本発明に係る硬質たわしは、硬質のたわし本体を形成する硬質発泡性樹脂の原液に、備長炭等の炭素を有する粉粒状のマイナスイオン発生物質を分散配合し、該原液を注入し発泡させて所定形状に成形していることを特徴とするものである。
　この場合において、前記備長炭等の炭素を有するマイナスイオン発生物質は、数μｍ〜数１００μｍの粉粒状に加工されているものとすることができる。
【発明の効果】
【０００８】
　上記のような構成を有する本発明によれば、硬質発泡性樹脂からなるたわし本体の全域に亘って備長炭等の炭素を有する粉粒状のマイナスイオン発生物質がほぼ均一に分散されているので、たわし本体を人体皮膚の角質部に押し付けながら擦ることにより、荒れた角質部を削り取ると同時に、たわし本体も徐々に削られ、このたわし本体の削りに伴ってマイナスイオン発生物質がたわし本体の表面全域に均一な分散状態で次々と露出することになる。このような角質部の削り取り時に摩擦等の衝撃がたわし本体表面のマイナスイオン発生物質に直接的に加えられるために、多量のマイナスイオンを発生し、このマイナスイオンの影響による界面活性効果により汚れが落ちやすくなる上に、削り取られた角質部の下の皮膚組織の細胞が活性化されて元来の滑らかな皮膚組織への復元を促進することができる。
【発明を実施するための最良の形態】
【０００９】
　以下、本発明の実施の形態を図面にもとづいて説明する。
　図１は本発明に係る硬質たわしの実施例を示す斜視図、図２は一部を破断した状態を示す斜視図である。
【００１０】
　この硬質たわし１は、硬質ポリウレタン等の発泡性樹脂原液中に、トルマリン鉱石等の電気石やセラミック、備長炭等の炭素（炭）など数μｍ〜数１００μｍの粉粒状に加工されたマイナスイオン発生物質２を発泡性樹脂１００部に対して１〜３０部配合するとともに、セリシン、シルク、アロエ、キトサン、米ぬか等のパウダーもしくはそれらの溶液からなる保湿成分物質３を１〜２０部配合し、さらに、適量の分散剤を混入しこれらを攪拌してほぼ均一に分散させた上で、発泡型（図示省略する）内に注入し発泡することにより、例えば図１に示すような直方形などの所定形状に成形されたものである。
【００１１】
　このように成形された硬質たわし１においては、発泡性樹脂からなる硬質たわし本体４の全域に、マイナスイオン発生物質２及び保湿成分物質３がほぼ均一に分散されており、たわし本体４を人体皮膚の角質部に押し付けながら擦ることにより、荒れた角質部を削り取ると同時に、たわし本体４も徐々に削られ、このたわし本体４の削りに伴って、図２からも明らかなように、マイナスイオン発生物質２及び保湿成分物質３がたわし本体４の表面全域に均一な分散状態で次々と露出される。
【００１２】
　このような角質部の削り取り時に摩擦等の衝撃がたわし本体４の表面に露出しているマイナスイオン発生物質２に直接的に加えられることで、常に多量のマイナスイオンが発生され、このマイナスイオンの影響による界面活性効果により汚れが落ちやすくなる上に、削り取られた角質部の下の皮膚組織の細胞が活性化されて元来の滑らかな皮膚組織への復元が促進される。同時に、たわし本体４の表面の削りに伴って該たわし本体４の表面に次々と露出する保湿成分物質３が角質部の削り取りによって現れる角質部下の肌に接触することになり、肌を傷つけないばかりか、その保湿成分が素早く皮膚組織に浸透して肌に潤い感を与え肌を滑らかにすると同時に爽快感も与え、かつ、潤い感を持続することになる。
【００１３】
　因みに、本発明者らは、硬質ポリウレタン発泡体からのみなる従来の硬質たわし（サンプル１）、硬質ポリウレタン発泡体にシルクパウダー（保湿成分物質）を３重量％（以下、ｗｔ％と称する）混入してなる従来の硬質たわし（サンプル２）、硬質ポリウレタン発泡体に粉粒状のトルマリン３ｗｔ％、備長炭３ｗｔ％、カーボン３ｗｔ％、シルクパウダー（保湿成分物質）３ｗｔ％を混入してなる本発明の硬質たわし（サンプル３）、硬質ポリウレタン発泡体に粉粒状のトルマリン５ｗｔ％、備長炭５ｗｔ％及びシルクパウダー（保湿成分物質）３ｗｔ％を混入してなる本発明の硬質たわし（サンプル４）を準備し、これら各サンプル１〜４を実使用時と同様に水で濡らして踵の角質部を擦り、イオンの発生量、角質部の削り落とし具合、潤い感などの風合いを評価する実験を行い、表１に示すような結果を得た。なお、サンプル２〜４における各成分のｗｔ％は、硬質ポリウレタン発泡体を１００ｗｔ％とした時の値である。
【００１４】
　ここで、イオン発生量は、イオン測定器　ＩＣ−１０００を使用して測定し、測定条件は、平常時のマイナスイオン発生量→１００個、温度→２０℃、湿度→４５％であり、また、風合い評価は、各サンプル品を２０名が２週間連続使用した時の感触についてのアンケートに基づいて確認したものである。
【００１５】
【表１】
2004105744.tif 000003
【００１６】
　上記表１からも明らかなように、サンプル１，２の従来品では３００個／秒以上のプラス（＋）イオンの発生がみられたのに対して、サンプル３，４の本発明品では５００〜１１００個／秒もの多量のマイナス（−）イオンの発生がみられた。また、角質部の削り落とし具合については、サンプル１〜４のすべてにおいて９０％以上が良好であるとの回答結果が得られた。潤い感については、７０〜８０％の割合でサンプル３，４の本発明品が好評であるとの回答結果が得られた。特に、サンプル１は角質部の削り落とし効果があるのみで、使用後の潤い感も爽快感もなく、サンプル２は使用直後の潤い感があるものの、その持続性に欠けるとの回答が多い。反面、サンプル３，４は使用直後の潤い感、爽快感はもとより、潤い感の持続性もあり、加えて、皮膚組織への復元が促進されているとの回答結果が得られた。
【００１７】
　なお、上記実施例では、マイナスイオン発生物質及び保湿成分物質を混入した発泡性樹脂原液を成形型内に注入し発泡させて製品サイズ、形状の硬質たわしを成形するものについて説明したが、実際は、大型発泡成形機を使用して製品サイズ、形状よりも何倍も大きいサイズ、形状のものを発泡成形した後、その発泡成形品を製品サイズ、形状に切り出す二次加工を施して所定の硬質たわしを製造したり、あるいは、連続発泡機を使用して長尺な発泡原板を作成した後、この原板を製品サイズ、形状に切り出す二次加工を施して所定の硬質たわしを製造する手段を採用する。これらの場合は、生産性の向上及びそれに伴う製品コストの低減が図れる。
【００１８】
　また、上記実施例では、硬質発泡性樹脂原液にマイナスイオン発生物質と共に保湿成分物質が混入されたものについて説明したが、備長炭等の炭素を有する粉粒状のマイナスイオン発生物質のみを混入したものであってもよく、この場合も、マイナスイオンの影響による界面活性効果及び皮膚組織の復元促進効果を十分に発揮させることが可能である。
【産業上の利用可能性】
【００１９】
　荒れた角質部を削り取り性能に優れ、マイナスイオンの影響による界面活性効果で汚れ落とし性能を向上できるとともに、削り取られた角質部の下の皮膚組織の細胞を活性化して元来の滑らかな皮膚組織への復元を促進することができ、人体皮膚の角質部を削り落とす硬質たわしとしてきわめて有用である。
【図面の簡単な説明】
【００２０】
【図１】本発明に係る硬質たわしの実施例を示す斜視図である。
【図２】図１の一部を破断した状態を示す斜視図である。
【符号の説明】
【００２１】
　１　硬質たわし
　２　粉粒状のマイナスイオン発生物質
　４　硬質のたわし本体
【図１】
2004105744.tif 000004
【図２】
2004105744.tif 000005